(57)【要約】      （修正有）【課題】通常着用している下着やＴシャツを着用した上で用いることのできる男性用着物の襦袢衿を提供する。【解決手段】本考案にかかる男性用着物の襦袢衿１は、使用者の首回りに巻き回されて襦袢衿１となる長尺の布帯体４であって、この長尺の布帯体４には、当該布帯体４の長手方向一方端に設けられた第１の係合紐体１３と、布帯体４の長手方向他方端に設けられ且つ第１の係合紐体１３と係合可能な第２の係合紐体１３とが備えられており、長尺の布帯体４の中途部が、長手方向を向く軸芯に交差する方向に折り返されている、又は折り返可能とされている。【選択図】図４
0003204305.tif 000002
【実用新案登録請求の範囲】
【請求項１】
使用者の首回りに巻き回されて襦袢衿となる布であって、前記布が長尺の布帯体とされていることを特徴とする男性用着物の襦袢衿。
【請求項２】
前記長尺の布帯体は、その一方端が当該布帯体の長手方向軸芯回りに一回転した状態とされた上で、前記布帯体の長手方向一方端の表面と前記布帯体の長手方向他方端の表面とが連続するように接合されて形成された環状体であることを特徴とする請求項１に記載の男性用着物の襦袢衿。
【請求項３】
前記長尺の布帯体には、当該布帯体の長手方向一方端に設けられた第１の係合紐体と、当該布帯体の長手方向他方端に設けられ且つ前記第1の係合紐体と係合可能な第２の係合紐体と、が備えられていることを特徴とする請求項１に記載の男性用着物の襦袢衿。
【請求項４】
前記長尺の布帯体には、その表面であって長手方向一方端に設けられた係合部と、前記布体の裏面であって長手方向他方端に設けられ且つ前記係合部が係合する被係合部と、が備えられていることを特徴とする請求項１に記載の男性用着物の襦袢衿。
【請求項５】
前記長尺の布帯体の中途部が、長手方向を向く軸芯に交差する方向に折り返されている又は折り返可能とされていることを特徴とする請求項２〜４のいずれかに記載の男性用着物の襦袢衿。
【考案の詳細な説明】
【技術分野】
【０００１】
本考案は、男性が着物を着る際に用いる襦袢衿に関する。
【背景技術】
【０００２】
日本が誇る伝統文化の１つに「着物」がある。しかしながら、着物の着用には、一定の技術が必要とされ、初心者が着物を一人で着用することは難しいとされる。
以下、このような問題を有する従来の着物の着付けの手順（特に、男性着物の着付けの手順）について説明する。
まず、着物を着用しようとする着用者は、最初に下半身に裾よけやステテコ、上半身に肌襦袢や肌着を着用する。続いて、着用者は、それらの上に長襦袢乃至は半襦袢を着て、これら襦袢を腰紐で締め、最後に長襦袢の上に着物を着て帯を締める。さらに、着用者は、着物の上から袴をはいたり羽織を着たりする。
【０００３】
残念なことではあるが、日本の伝統文化である着物を着用しようとする者、例えば初心者は、上記した着物の着方を煩わしく思うことがある。特に、外からは見えない襦袢（長襦袢や半襦袢）の着用を煩わしく思うこともあり、「通常着用している肌着やＴシャツで代用できないか？」と考えることもある。
しかしながら、通常着用している下着やＴシャツには、着物の衿から少しだけはみ出て見える「襦袢の衿や半衿」が装着されてはいないため、現実には、襦袢を肌着やＴシャツで代用することは困難である。
【０００４】
とはいえ、上記した要望に対応するため、特許文献１に開示されたようなＴシャツ型の襦袢が開発されている。この特許文献１は、肌着の丸首Ｔシャツの前身頃の首部をＶ字型に深く襟刳りを設けこの襟刳りに沿って和装用の肌襦袢の襟を逢着して襟元を和装用の肌襦袢に似せた襟付きＴシャツを開示している。
【先行技術文献】
【特許文献】
【０００５】
【特許文献１】実用新案登録第３１６８４８８号公報
【考案の概要】
【考案が解決しようとする課題】
【０００６】
しかしながら、特許文献１に開示された襟付きＴシャツは、着物専用の着衣を提供するものであって、現状、着る機会の少ない着物のために、専用の着衣を準備しておくことは無駄と考えられなくもない。
そのため、外からは見えない襦袢（長襦袢や半襦袢）を用いず、通常着用している肌着やＴシャツで代用できないか？との考えも依然として存在する。
【０００７】
そこで、本考案は、通常着用している肌着やＴシャツを着用した上で用いることのできる、男性着物向けの襦袢衿を提供することを目的とする。
【課題を解決するための手段】
【０００８】
上記課題を解決するため、本考案では以下の技術的手段を講じている。
即ち、本考案の男性用着物の襦袢衿は、使用者の首回りに巻き回されて襦袢衿となる布であって、前記布が長尺の布帯体とされていることを特徴とする。
好ましくは、前記長尺の布帯体は、その一方端が当該布帯体の長手方向軸芯回りに一回転した状態とされた上で、前記布帯体の長手方向一方端の表面と前記布帯体の長手方向他方端の表面とが連続するように接合されて形成された環状体であるとよい。
【０００９】
好ましくは、前記長尺の布帯体には、当該布帯体の長手方向一方端に設けられた第１の係合紐体と、当該布帯体の長手方向他方端に設けられ且つ前記第１の係合紐体と係合可能な第２の係合紐体と、が備えられているとよい。
好ましくは、前記長尺の布帯体には、その表面であって長手方向一方端に設けられた係合部と、前記布体の裏面であって長手方向他方端に設けられ且つ前記係合部が係合する被係合部と、が備えられているとよい。
【００１０】
好ましくは、前記長尺の布帯体の中途部が、長手方向を向く軸芯に交差する方向に折り
返されている又は折り返可能とされているとよい。
【考案の効果】
【００１１】
本考案の技術によれば、通常着用している肌着やＴシャツを着用したままで、簡便に男性用着物の襦袢衿を実現することが可能となる。
【図面の簡単な説明】
【００１２】
【図１】第１実施形態の襦袢衿を示した図である。
【図２】第１実施形態の襦袢衿の構造を示す図である。
【図３】第１実施形態の襦袢衿の着用方法を示した図である。
【図４】第２実施形態の襦袢衿及びその構造を示した図である。
【図５】第２実施形態の襦袢衿の着用方法を示した図である。
【考案を実施するための形態】
【００１３】
以下、本考案に係る襦袢衿について、図を基に説明する。
［第１実施形態］
図１〜図３を参照して、本考案の第１実施形態にかかる襦袢衿１を説明する。
まず、本考案の理解を深めるため、従来の着物２の着付け（男性用の着物２の着付け）の手順について説明する。
【００１４】
まず、着物２を着用しようとする着用者は、最初に下半身に裾よけやステテコ、上半身に肌襦袢や下着を着衣する。続いて、着用者は、それらの上に長襦袢や半襦袢を着て、これら襦袢を腰紐で締め、最後に襦袢の上に着物２を着て帯をしめる。さらに、着用者は、着物２の上から袴をはいたり羽織を着たりする。
本考案の襦袢衿１は、肌襦袢ではなく、Ｕ首形状やＶ首形状の肌着やＴシャツ（以降、総称して肌着３と呼ぶ）を着用した上で装着するものであり、長襦袢や半襦袢を用いることなく、男性用の着物２を着ることができるようにしたものである。
【００１５】
図１に示すように、第１実施形態の襦袢衿１は、使用者の首回りに巻き回されて襦袢衿１となる布であって、この布が長尺の布帯体４とされており、マフラーのように首回りに巻き付けることで、襦袢衿１を実現できる画期的な考案である。
第１実施形態の襦袢衿１を構成する長尺の布帯体４は、その一方端が当該布帯体４の長手方向軸芯回りに一回転した状態とされた上で、布帯体４の長手方向一方端の表面と布帯体４の長手方向他方端の表面とが連続するように（面一となるように）接合されて形成された環状体である。
【００１６】
具体的には、図２（ａ）に示すように、襦袢衿１は、長尺長方形の布で構成され、帯状とされている（布帯体４）。この布帯体４は、布を幅方向に折り込んだ二重布であることが好ましい。布帯体４の長手方向に沿った方向（以降、長さと呼ぶ）の寸法は、環状体で伸ばし置いて一般体型向けで１００ｃｍ〜８５ｃｍであり、布帯体４の長手方向に沿った方向に直交する方向（以降、幅と呼ぶ）の寸法は、４ｃｍ〜１４ｃｍであるが、使用者の体型に合わせて各寸法も変動する。
【００１７】
次に、図２（ａ）に示すように、この布帯体４の一方縁（図２（ａ）では右端縁）を、長手方向軸心回りに一回転し（図２（ａ）のＡの如く３６０°回して）、その上で、布帯体４の一方縁と布帯体４の他方縁とを付き合わせ（図２（ｂ）のＢの如く）、縫い合わせるようにしている（縫い合わせ部５）。
このようにしてできた環状帯は、図２（ｃ）の如くであり、この図で上側に位置する布帯体４の右縁は下に潜り込むように折り返され、図で上側に位置する布帯体４の左縁は上方に重なるように折り返され、縫い合わせ部５では、布帯体４の一方縁の表面と布帯体４の他方縁の表面とがつながるように（面一となるように）接合されている。
【００１８】
なお、長尺の布帯体４の表面乃至は裏面は、襦袢衿１の柄面となるため、黒色や灰色、白色とすることが好ましい。また、伊達衿のような派手な柄模様としてもよく、図１に示すように、長尺の布帯体４の表面と裏面とを異なる配色や柄としてもよいが同色でも問題はない。
なお、布帯体４の素材としては、伸縮性のあるものが好ましいが、伸縮性がないものであっても問題はない。ポリエステルなどの合成繊維で構成されていてもよく、絹（正絹）であってもよい。自宅での洗濯ができる素材が好まれる。布帯体に半襟をかけて着用してもよい。
【００１９】
次に、図３を基に、第１実施形態の襦袢衿１の着用（装着）方法について述べる。
まず、図３（ａ）に示すように、肌着３を着用した使用者は、環状帯とされた襦袢衿１を頭から通し、腰の部分まで持ってくる。その上で、腰位置で背部に襦袢衿１を沿わせるようにあてがう。このとき、襦袢衿１として使用したい柄が施された面を使用者の背部に接しない面とする。
【００２０】
その後、図３（ｂ）に示すように、使用者の右側方を通ってきた布帯体４と、使用者の左側方を通ってきた布帯体４とを使用者の腹前で交差するように重ねる。このとき、使用者の右側方（右脇腹）を通ってきた布帯体４の上側に、使用者の左側方（左脇腹）を通ってきた布帯体４を重ねる（重合させる）。
図３（ｃ）に示す如く、布帯体４を重合させると、その重合部６より前側に、リング部７が形成される。このリング部７を、使用者の頭の上から被り、リング部７内の空間に対して頭を通過させ、布帯体４の重合部６より前側、すなわちリング部７を使用者の首回りに巻き付け、しわなどが無いように整える。すると、リング部７が襦袢衿１となる。この襦袢衿１は、布帯体４の一部で構成され、布帯体４の他部は、胸前で交差し、背部へ回り込んでいるため、使用者の体にしっかり巻き付けられて固定されることとなる。そのため、襦袢衿１も所定の位置からずれることなく、長時間の着用にも耐えうるものとなっている。
【００２１】
図３（ｃ）となった後は、図３（ｄ）の如く、着物２を着て帯をしめ、必要に応じ、使用者は、着物２の上から袴をはいたり羽織を着たりする。
［第２実施形態］
次に、図４、図５を参照して、本考案の第２実施形態にかかる襦袢衿１を説明する。
図４（ａ）に示すように、第２実施形態の襦袢衿１は、使用者の首回りに巻き回されて襦袢衿１となる布であって、布が長尺の布帯体４とされており、マフラーのように首回りに巻き付けることで、襦袢衿１を実現できる画期的な考案である。
【００２２】
第２実施形態の襦袢衿１を構成する長尺の布帯体４には、その長手方向一方端に設けられた第１の係合紐体１３と、その長手方向他方端に設けられ且つ第1の係合紐体１３と係合可能な第２の係合紐体１３と、が備えられている。
その上で、図４（ｂ）に示す如く、長尺の布帯体４の中途部が、長手方向を向く軸芯に交差する方向（幅方向）に折り返えされたものとなっている。この長尺の布帯体４の中途部は、２つ折りにされた上で縫製されていてもよい。
【００２３】
具体的には、図４（ａ）に示すように、第２実施形態の襦袢衿１は、長尺長方形の布で構成され、布帯体４とされている。布帯体４の長手方向に沿った方向（長さ方向）の寸法は、一般体型向けで１４０ｃｍ〜１８０ｃｍであり、布帯体４の長手方向に沿った方向に直交する方向（幅方向）の寸法は、４ｃｍ〜１６ｃｍである。係合紐体１３は約７０ｃｍ〜９０ｃｍであるが、使用者の体型に合わせて各寸法も変動する。
【００２４】
次に、図４（ａ）に示すように、この布帯体４の一方縁（図４（ａ）では右端縁）には、布製の係合紐体１３（第１の係合紐体１３）の一方端が縫いつけられている。同様に、この布帯体４の他方縁（図４（ａ）では左端縁）には、布製の係合紐体１３（第２の係合紐体１３）の一方端が縫いつけられている。第1の係合紐体１３と第２の係合紐体１３とはその他方端同士で係合（結ぶこと）が可能とされている。
【００２５】
また、図４（ｂ）に示す如く、長尺の布帯体４の中途部が、幅方向に２つ折り可能とされる。２つ折りにされた上で縫製されていてもよい。
なお、第１実施形態と同様に、長尺の布帯体４の表面乃至は裏面は、襦袢衿１の柄面となるため、黒色や灰色、白色とすることが好ましい。また、伊達衿のような派手な柄模様としてもよく、長尺の布帯体４の表面と裏面とを異なる配色や柄としてもよいし、同色でもよい。
【００２６】
なお、布帯体４や係合紐体１３の素材としては、伸縮性のあるものが好ましいが、伸縮性がないものであっても問題はない。ポリエステルなどの合成繊維で構成されていてもよく、絹（正絹）であってもよい。自宅での洗濯ができる素材が好まれる。布帯体に半襟をかけて着用してもよい。
なお、上記した係合紐体１３に代えて、以下の構成としてもよい。
【００２７】
すなわち、図４の仮想線で示すように、布帯体４の一方縁（図４（ａ）では右端縁）の表面には、例えば、面ファスナーのオス部（係合部１０）が縫いつけられており、この布帯体４の他方縁（図４（ａ）では左端縁）の裏面には、面ファスナーのメス部（被係合部１１）が縫いつけられているようにしてもよい。この面ファスナーのオス部とメス部とは面にて接合可能とされている。
【００２８】
また、図４（ｂ）に示す如く、長尺の布帯体４の中途部が、幅方向に２つ折り可能とされる。２つ折りにされた上で初めから縫製されていてもよい。
以下、図４、図５を基に、第２実施形態の襦袢衿１の着用（装着）方法について述べる。
まず、図４（ａ）に示すように、第２実施形態の襦袢衿１をテーブルや畳の上などに、長手方向が左右方向を向くように載置する。このとき、襦袢衿１のいずれの部分も折り込むことなく、矩形で長尺状としておく。襦袢衿１とした際に見えるようにしたい面が、下側となるように載置しておく。
【００２９】
その上で、図４（ｂ）に示すように、長尺の布帯体４の中途部を、幅方向（図４（ｂ）では下方向）に折りこむ。
折り込んだ際に「わさ（輪、折り返し部１２）」が自分の方を向くようにしておくと後々装着しやすい。長手方向において、２つ折りに折り込む長さは、例えば、使用者の首周り寸法の１／２程度であり、布帯体４の両端は全く折り込まないようにする。折り込んだ部分と折り込まない部分の遷移領域は、布帯体４の下縁が斜めに走る状況となっている。
【００３０】
次に、図５（ａ）に示す如く、長尺の布帯体４の中途部を２重に折り込んだ上で、この折り込み部（言い換えれば、折り返し部１２）を使用者の首部に後方から巻き付けるようにする。このとき、折り込み部１２の「わさ」が上を向くようにする。
その上で、図５（ｂ）に示す如く、使用者の右肩から垂れてきた布帯体４を左腰部へと導く。同様に、使用者の左肩から垂れてきた布帯体４を右腰部へと導く。すると、肩から垂下状とされた布帯体４が使用者の胸乃至は腹部でクロスするようになり、その後、腰部の左右へと導かれる。クロスする際には、使用者の右肩から垂れてきた布帯体４の上を、使用者の左肩から垂れてきた布帯体４が通るようにする（着物２で言うところの右前状態）。
【００３１】
最後に、図５（ｃ）に示すように、右腰部と左腰部とに位置する布帯体４のそれぞれを、着用者の背後、すなわち臀部上方に回し込み、着用者の背後にて、第１の係合紐体１３と第２の係合紐体１３を交差せた上で、第１の係合紐体１３を自分の右脇腹を通って、正面へと持ってくる。同様に、第２の係合紐体１３を自分の左脇腹を通って、正面へと持ってくる。その後、第１の係合紐体１３と第２の係合紐体１３とを着用者の正面にて紐結びする（係合させる）。
【００３２】
布帯体４の両端部を係合させた後、使用者の首回りに巻き付いた布帯体４をしわなどが無いように整える。すると、この巻き掛け部が襦袢衿１となる。この襦袢衿１は、布帯体４の一部で構成され、布帯体４の他部は、胸前で交差し、背部へ回り込んでいるため、使用者の体にしっかり巻き付けられて固定されることとなる。そのため、襦袢衿１も所定の位置からずれることなく、長時間の着用にも耐えうるものとなっている。
【００３３】
なお、図４にて仮想線で示したように、布帯体４の一方縁と他方縁とに、係合紐体１３に代えて面ファスナーを備えている場合は、図５（ｃ）に示すように、右腰部と左腰部とに位置する布帯体４のそれぞれを、着用者の背後に回し込み、布帯体４の両端部に配設された面ファスナにより、着用者の背面において止めるようにする。
図５（ｃ）となった後は、図５（ｄ）の如く、着物２を着て帯をしめ、必要に応じ、使用者は、着物２の上から袴をはいたり羽織を着たりする。
【００３４】
第２実施形態の襦袢衿を、より綺麗に着崩れなく着こなすためには、例えば、予め、本考案の襦袢衿を羽織る着物の衿に衿ピン（伊達衿などを取り付けるためのクリップ）を用いて取り付けた上で着物を着て、その後、図５の如く、第２実施形態の襦袢衿を体に装着するとよい。
以上述べたように、使用者の首回りに巻き回されて襦袢衿１となる布であって、この布が長尺の布帯体４とされている構成となっている本考案の男性用着物２の襦袢衿１を用いることで、通常着用している下着やＴシャツを着用した上で着用することで、簡便に男性用着物２の襦袢衿１を実現することが可能となる。
【００３５】
なお、今回開示された実施形態はすべての点で例示であって制限的なものではないと考えられるべきである。特に、今回開示された実施形態において、明示的に開示されていない事項、例えば、構成物の寸法、重量、体積などは、当業者が通常実施する範囲を逸脱するものではなく、通常の当業者であれば、容易に想定することが可能な値を採用している。
【００３６】
例えば、第２実施形態において、係合部と被係合部を面ファスナーで実現する例を示したが、ホックなどで実現するようにしてもよい。
布帯体４における表面の柄と裏面の柄とが異なるものとされていることは非常に好ましく、布帯体４の両面を利用できるようにするとよい。
【符号の説明】
【００３７】
１    襦袢衿
２    着物
３    肌着
４    布帯体
５    縫い合わせ部
６    重合部
７    リング部
１０  係合部
１１  被係合部
１２  折り返し部
１３  係合紐体
【図５】
0003204305.tif 000003
【図１】
0003204305.tif 000004
【図２】
0003204305.tif 000005
【図３】
0003204305.tif 000006
【図４】
0003204305.tif 000007